(57)【要約】【課題】使用時や携行時に取扱いを容易にしたマットを提供すること。【解決手段】マット１１は、長方形状をなしている。マット本体１４の内部には弾性帯体と切換部材が設けられている。切換部材の操作により、弾性帯体は、デッドポイントを境にして、断面扁平状の第１態様と、断面円弧状の第２態様とに切換えることができる。そして、第１態様の弾性帯体は、マットを螺旋巻回状態にし、第２態様の弾性帯体はマット１１を真直状態に維持する。マット１１の真直状態において、マット１１をエクササイズに使用でき、マット１１を巻回状態にすれば、マット１１が携行や保管に便利な状態となる。【選択図】図１
2020116305.tif 000002
【特許請求の範囲】
【請求項１】
長方形状をなすマット本体の両長辺部には、マット本体の巻取り方向に弾性力を付与する第１態様と、マット本体を展開状態に維持する作用を有する第２態様とに切換えられる弾性帯体を設け、前記マット本体の一方の短辺部には、前記弾性帯体の一端に連結され、弾性帯体を前記第１態様及び第２態様に切換えるための切換部材を設けたマット。
【請求項２】
長方形状をなすマット本体の両長辺部間の位置には、マット本体の巻取り方向に弾性力を付与する第１態様と、マット本体を展開状態に維持する作用を有する第２態様とに切換えられる１条の弾性帯体を設け、前記マット本体の少なくとも一方の短辺部には、前記弾性帯体の一端に連結され、弾性帯体を前記第１態様及び第２態様に切換えるための切換部材を設けたマット。
【請求項３】
長方形状をなすマット本体の少なくとも一方の長辺部には、マット本体の巻取り方向に弾性力を付与する第１態様と、マット本体を展開状態に維持する作用を有する第２態様とに切換えられる弾性帯体を設け、前記マット本体の短辺部には、前記弾性帯体の一端に連結され、弾性帯体を前記第１態様及び第２態様に切換えるための切換部材を設けたマット。
【発明の詳細な説明】
【技術分野】
【０００１】
本発明は、本発明は、主としてヨガなどのエクササイズに用いられるマットに関するものである。
【背景技術】
【０００２】
この種のマットが運動補助用マットとして特許文献１に開示されている。この特許文献１の運動補助用マットは、主マットと、複数の補助マットとにより構成されている。そして、この運動補助用マットを運動補助のために使用する場合は、主マットと補助マットとが展開されて、床面などに設置される。また、この運動補助マットが携行されたりする場合は、主マット及び補助マットが折り畳まれ、その折り畳み状態で、紐状の締結部材によって括られる。
【先行技術文献】
【特許文献】
【０００３】
【特許文献１】特表２０１０−５１１４７２号公報
【発明の概要】
【発明が解決しようとする課題】
【０００４】
従って、特許文献１の運動補助マットにおいては、同マットを運動補助のために使用する場合には、使用者が締結部材を括っている状態から外して、主マットと補助マットとを展開する必要があって面倒である。また、運動補助マットの使用後に携行したり、保管したりする場合には、同様に使用者が主マットと補助マットとを折り畳んで、それらの周囲に締結部材を巻き付けて括る必要があって、面倒である。さらには、主マットと補助マットとを締結部材によって折り畳んで括ったとしても、その状態の全体形状は平たな広い面積を有しているため、携行や保管などの取扱いに不便である。
【０００５】
本発明の目的は、エクササイズなどの使用における取扱い及び使用しない場合の携行や保管における取扱いを便利にしたマットを提供することにある。
【課題を解決するための手段】
【０００６】
上記の目的を達成するために、本発明は、長方形状をなすマット本体の両長辺部には、マット本体の巻取り方向に弾性力を付与する第１態様と、マット本体を展開状態に維持する作用を有する第２態様とに切換えられる弾性帯体を設け、前記マット本体の一方の短辺部には、前記弾性帯体の一端に連結され、弾性帯体を前記第１態様及び第２態様に切換えるための切換部材を設けたことを特徴とする。
【０００７】
以上の構成においては、切換部材により弾性帯体を第１態様にすることにより、弾性帯体が自身の弾性により巻回状態になる。このため、同様にマットが巻回状態になって、携行及び保管に便利な形になる。切換部材により弾性帯体を第２態様とすることによりマットが展開されて、その状態に保持される。従って、マットを床面に設置すれば、使用者はその上においてヨガなどのエクササイズなどを実行できる。このように、切換部材により弾性帯体の態様を切換えるのみで、マットをエクササイズなどの使用状態と携行や保管の不使用状態とに容易に形状変更させることができて、取扱いが容易になる。しかも、切換部材を一方の短辺部に設けたことにより、構成を簡素化できるとともに、軽量化が可能になる。
【０００８】
また、本発明は、長方形状をなすマット本体の両長辺部間の位置には、マット本体の巻取り方向に弾性力を付与する第１態様と、マット本体を展開状態に維持する作用を有する第２態様とに切換えられる１条の弾性帯体を設け、前記マット本体の少なくとも一方の短辺部には、前記弾性帯体の一端に連結され、弾性帯体を前記第１態様及び第２態様に切換えるための切換部材を設けたことを特徴とする。
【０００９】
以上のように構成されたマットにおいては、前記と同様に、切換部材により弾性帯体を第１態様と第２態様とに切換えることにより、マットを携行及び保管に便利な巻回状態と、エクササイズなどに使用できる展開状態とに簡単に形状変更させることができて、取扱いが容易になる。弾性帯体がマットの両長辺部間の位置に１条設けられているだけであるから、構成が簡単で、軽量化が可能になる。
【００１０】
さらに、本発明は、長方形状をなすマット本体の少なくとも一方の長辺部には、マット本体の巻取り方向に弾性力を付与する第１態様と、マット本体を展開状態に維持する作用を有する第２態様とに切換えられる弾性帯体を設け、前記マット本体の短辺部には、前記弾性帯体の一端に連結され、弾性帯体を前記第１態様及び第２態様に切換えるための切換部材を設けたことを特徴とする。
【００１１】
以上のように構成されたマットにおいては、前記と同様に、切換部材により弾性帯体を第１態様と第２態様とに切換えることにより、マットを携行及び保管に便利な巻回状態と、エクササイズなどに使用できる展開状態とに簡単に形状変更させることができて、取扱いが容易である。弾性帯体がマットの一方の長辺部に設けられているだけであるから、構成が簡単で、軽量化が可能になる。
【発明の効果】
【００１２】
以上のように、本発明によれば、エクササイズなどの使用における取扱い及び使用しない場合の携行や保管における取扱いを便利にできるため、マットとして優れた発明である。
【図面の簡単な説明】
【００１３】
【図１】マットの展開状態を示す斜視図。
【図２】マットの巻回状態を示す斜視図。
【図３】第１実施形態のマットを示す一部破断平面図。
【図４】図３の４−４線断面図。
【図５】図３の５−５線断面図。
【図６】第１実施形態のマットを示す一部破断平面図。
【図７】連結部を示すマットの平面図。
【図８】（ａ）は、第１態様状態における弾性帯体の一部斜視図、（ｂ）は、第２態様状態における弾性帯体の一部斜視図。
【図９】第２実施形態のマットを示す一部破断平面図。
【図１０】図９の１０−１０線断面図。
【図１１】第３実施形態のマットを示す一部破断平面図。
【図１２】第４実施形態のマットを示す一部破断平面図。
【図１３】第５実施形態のマットを示す斜視図。
【図１４】第５実施形態のマットを示す一部破断側面図。
【図１５】第５実施形態のマットを示す一部破断断面図。
【図１６】第５実施形態のマットを示す拡大断面図。
【発明を実施するための形態】
【００１４】
以下に、本発明を具体化したマットの実施形態を図面に従って説明する。
（第１実施形態）
図１から図８に基づいて本発明の第１実施形態を説明する。なお、図１及び図２の図面は各実施形態及び変更例と共通で、各実施形態及び変更例のマットの構成を示すものである。なお、各実施形態のマットは、エクササイズ用のエクササイズマットとして説明するが、このマットは、エクササイズ以外の用途、例えばアウトドア活動において地面に敷かれる敷きマットとして具体化してもよい。
【００１５】
図１及び図２に示すように、エクササイズマット（以下、単にマットという）１１は、長方形状をなし、エクササイズ使用時には、展開状態で床面などに設置され、その上面において使用者によりヨガなどのエクササイズが実行される。また、マット１１を使用しない携行時や保管時にはマット１１は長手方向に巻回される。なお、展開状態におけるマット１１の両長辺部を左右位置とする。
【００１６】
図３及び図４に示すように、マット１１のマット本体１４は、柔軟弾性材よりなる表シート１２と、同じく柔軟弾性材よりなる裏シート１３とを貼り合わせて構成されている。
図３〜図５に示すように、マット本体１４の両長辺部において、表シート１２と裏シート１３との間には長辺部に沿って延在する金属の板バネ材よりなる弾性帯体１５が挟持されている。図８（ａ）に示すように、この弾性帯体１５は、デッドポイント（弾性力切換点）を境にして、断面扁平状の第１態様と、図８（ｂ）に示すように、断面円弧状の第２態様とに切換えることができる。そして、第１態様の弾性帯体１５は、自身の弾性により螺旋巻回状態になり、第２態様の弾性帯体１５は、真直状態を維持する。弾性帯体１５の螺旋巻回において、裏シート１３が巻回状態の内側に、表シート１２が外側になるように、弾性帯体１５の表裏の向きが定められている。
【００１７】
図３，図５及び図７に示すように、マット本体１４の一方の短辺部の表裏シート１２，１３間には、硬質合成樹脂などの剛性材料よりなる帯状の切換部材１６が挟持されている。この切換部材１６の両端には、前記両弾性帯体１５の一端部が連結されている。そして、切換部材１６を、図５に矢印で示すように、一方向及びその逆方向にデッドポイントを越えて傾動させることにより、弾性帯体１５が前記第１態様及び第２態様に切換えられる。
【００１８】
図６に示すように、表シート１２の外側面には、切換部材１６と対応する短辺の位置に、マーク１９が付されている。
以上のように構成されたマット１１は以下のようにして取扱われる。
【００１９】
すなわち、使用者が切換部材１６を操作して、弾性帯体１５を第１態様にすることにより、弾性帯体１５が自身の弾性により巻回状態になる。このため、同様にマット１１が巻回状態になって、携行及び保管に便利な形になる。
【００２０】
マット１１をエクササイズのために使用する場合には、マット１１を床面などの上面において弾性帯体１５の弾性に抗して裏シート１３が下側になるように展開し、その状態で切換部材１６を操作して、弾性帯体１５を第２態様にする。このようにすれば、弾性帯体１５が真直状態に保持される。従って、マット１１が平坦な展開状態に保持され、使用者はその上においてヨガなどのエクササイズを快適に実行できる。この場合、マーク１９が付されている側を、例えば、使用者の倒伏姿勢の頭側として決めることができる。
【００２１】
エクサイズの終了後、切換部材１６を操作して、弾性帯体１５を第１態様にすれば、弾性帯体１５が自身の弾性によって巻回状態に復帰して、マット１１が携行や保管に便利な巻回状態になる。
【００２２】
本実施形態においては、以下の効果がある。
（１）切換部材１６を操作するのみで、マット１１をエクササイズを行い得る展開状態と、携行や保管に便利な巻回状態とに形状変更できて、弾性帯体１５によってその状態に維持できる。従って、展開状態においては、ヨガなどのエクササイズを前記のように快適に実行できるとともに、巻回状態においては、マット１１が自然に広がることを防止できて、マット１１の取扱いが容易である。
【００２３】
（２）切換部材１６がマット１１の一方の短辺部のみに設けられているため、構造が簡単で、軽量化が可能になり、マット１１の携行に便利である。
（３）弾性帯体１５がマット本体１４の両長辺部に設けられているため、マット１１の展開動作及び巻回動作が安定して行われる。
【００２４】
（４）マット本体１４の切換部材１６側の短辺部にマーク１９が付されているため、切換部材１６が設けられている短辺部を認識できて、切換部材１６に対する操作が容易である。
【００２５】
（５）マーク１９により、マット１１の方向性を認識できる。従って、例えば、マーク１９が付された側の短辺部をエクササイズにおける倒伏姿勢の頭側として決めることができて、マット１１の使用方向を決めることができ、清潔さの上で好ましい。
【００２６】
（第２実施形態）
次に、本発明の第２実施形態を説明する。この第２実施形態以降の各実施形態及び変更例においては、前記第１実施形態と異なる部分を中心に説明する。
【００２７】
第２実施形態においては、図９及び図１０に示すように、マット本体１４の長手方向に延在する１条の弾性帯体１５がマット本体１４の両長辺部間における幅方向の中央部に設けられている。マット本体１４の両長辺部において、表シート１２と裏シート１３との間には長辺部に沿って延在し、切換部材１６には連結されていない状態の帯状の芯材１７が挟持されている。この芯材１７は、バネ性を有するものではなく、長辺部に張りを持たせるものである。この芯材１７は、ナイロン（ボリアミド樹脂）などの糸条を織成して薄板状に構成されたものであり、マット本体１４の表シート１２や裏シート１３より高い剛性を有する。
【００２８】
従って、本実施形態においては、以下の効果がある。
（６）弾性帯体１５がマット本体１４の幅方向の中央部に設けられているため、マット１１の展開動作及び巻回動作が安定して行われる。
【００２９】
（７）１条の弾性帯体１５がマット１１の幅方向の中央部のみに設けられているため、構造が簡単で、軽量化が可能になり、マット１１の携行などの取扱いに便利である。
（８）マット１１の両長辺部には芯材１７が設けられているため、マット１１の展開使用時には、マット１１を床面などから浮き上がらないように安定させることができ、マット１１の巻回時には、長辺部に弾性帯体１５が設けられていなくても、マット１１のシワや形くずれを抑えることができて、携行しやすくなる。
【００３０】
（第３実施形態）
次に、本発明の第３実施形態を説明する。
第３実施形態においては、図１１に示すように、弾性帯体１５がマット本体１４の一方の長辺部に設けられている。切換部材１６は両短辺部に設けられており、その切換部材１６の一端に弾性帯体１５が連結されている。マット本体１４の他方の長辺部には帯状芯材１７が設けられている。
【００３１】
従って、第３実施形態においては、以下の効果がある。
（９）弾性帯体１５が１条しか有していないため、構成が簡単で、軽量化が可能になる。
【００３２】
（１０）弾性帯体１５の長辺部の他方の長辺部に帯状芯材１７が設けられているため、その長辺部分に対して弾性帯体１５ほどではないが、ある程度の剛性を持たせることができる。従って、前記第２実施形態と同様に、マット１１のシワや形くずれを抑えることができて、携行しやすくなる。
【００３３】
（第４実施形態）
次に、本発明の第４実施形態を説明する。
第４実施形態においては、図１２に示すように、切換部材１６が弾性帯体１５とほぼ同幅に形成され、両弾性帯体１５の一端に取り付けられている。なお、切換部材１６は弾性帯体１５の両端に取り付けられてもよい。
【００３４】
従って、本実施形態においては、以下の効果がある。
（１１）切換部材１６が弾性帯体１５とほぼ同幅の小片状であるため、マット１１を軽量化できる。
【００３５】
（第５実施形態）
次に、本発明の第５実施形態について説明する。
第５実施形態においては、図１３〜図１６に示すように、円筒状のケース３１の内部に巻取り軸３０が回転可能に支持されている。マット１１は、第１実施形態と同様な構造であって、切換部材１６が設けられていない側の短辺部において前記巻取り軸３０の外周に支持されている。そして、弾性帯体１５の一端部が巻取り軸３０の外周に固定されている。本実施形態においては、前記各実施形態とは逆に、弾性帯体１５の螺旋巻回において、表シート１２が巻回状態の内側に、裏シート１３が外側になるように配置されている。
【００３６】
図１３及び図１５に示すように、ケース３１の周壁にはスリット状の開口３２が形成されており、マット１１が開口３２を介して出し入れされる。マット１１の切換部材１６の側における両幅端部にはストッパ３３が設けられている。そして、図１３に実線で示すように、マット１１の切換部材１６側の短辺部が開口３２からわずかに突出した状態で、このストッパ３３はケース３１の外側面に係合して、マット１１のケース３１内への移動を規制する。ケース３１の開口３２近傍における裏シート１３側の位置には平坦部３４が形成されており、この平坦部３４においてケース３１が床面などの設置面に設置される。
【００３７】
そして、切換部材１６によって弾性帯体１５が第１態様にされたときには、弾性帯体１５の弾性によって、巻取り軸３０の回転をともないながら、マット１１が巻取り軸３０に巻き取られる。このため、図１３に実線で示すように、ストッパ３３がケース３１の外側面に係合するまで、マット１１がケース３１内に収納され、切換部材１６側の端部がケース３１外に位置する。
【００３８】
マット１１をエクササイズのために使用する場合は、マット１１を弾性帯体１５の弾性に抗してケース３１から引き出して、図１３に２点鎖線で示すように、展開させ、切換部材１６によって弾性帯体１５を第２態様に切換えればよい。そして、表シート１２を上側にして、ケース３１の平坦部３４を床面などの設置面に設置すれば、裏シート１３を下側にして、ケース３１及びマット１１を床面などの設置面に安定支持できる。
【００３９】
本実施形態においては、以下の効果がある。
（１２）巻取り状態のマット１１がケース３１内に収容されるため、携行しやすく、携行や保管において、汚れたり、雨水などで濡れたりすることを防止できる。
【００４０】
（１３）ケース３１により、マット１１に方向性を持たせることができる。例えば、ケース３１を頭側にするという使い方をすれば、マット１１を清潔に使用できる。さらには、エクササイズにおける使用者の仰臥姿勢において、ケース３１を枕として使用できる。
【００４１】
（変更例）
本発明は前記実施形態以外に、以下のような態様で具体化できる。
・弾性帯体１５や切換部材１６を裏シート１３の裏面側に設けること。
【００４２】
・マット本体１４を１枚のシートによって構成すること。この構成においては、弾性帯体１５や切換部材１６はシートの裏面側に設けられる。
・第２実施形態において、切換部材１６を一方の短辺部のみに設けること。
【００４３】
・第２実施形態において、裏シート１３の内面に帯状の凹部を形成し、この凹部に弾性帯体１５を納めること。このようにすれば、弾性帯体１５が裏シート１３の内面の凹部に納められているため、弾性帯体１５の存在が使用者に感じにくく、使い心地の良いものとなる。
【００４４】
・第５実施形態において、ケース３１の周りに柔軟性材を設けること。このようにすれば、ケース３１を枕として使用する場合に好都合である。
（他の技術的思想）
前記実施形態から把握される請求項に記載の技術的思想以外の技術的思想は以下の通りである。
【００４５】
（ａ）剛性がマット本体より高く、弾性帯体より低い芯材をマット本体の両長辺部にその長辺部に沿って延在するように設けた請求項２に記載のマット。
（ｂ）剛性がマット本体より高く、弾性帯体より低い芯材を弾性帯体の他方側の長辺部にその長辺部に沿って延在するように設けた請求項３に記載のマット。
【００４６】
（ｃ）筒状のケースの内部に回転軸を設け、その回転軸にはマットの切換部材を有しない短辺部を支持するとともに、弾性帯体を回転軸に固定し、マットを前記ケースの開口を介してケースの内外を移動できるようにした請求項１に記載のマット。
【符号の説明】
【００４７】
１１…マット、１２…表シート、１３…裏シート、１４…マット本体、１５…弾性帯体、１６…切換部材、１８…芯材、３１…ケース。
【図１】
2020116305.tif 000003
【図２】
2020116305.tif 000004
【図３】
2020116305.tif 000005
【図４】
2020116305.tif 000006
【図５】
2020116305.tif 000007
【図６】
2020116305.tif 000008
【図７】
2020116305.tif 000009
【図８】
2020116305.tif 000010
【図９】
2020116305.tif 000011
【図１０】
2020116305.tif 000012
【図１１】
2020116305.tif 000013
【図１２】
2020116305.tif 000014
【図１３】
2020116305.tif 000015
【図１４】
2020116305.tif 000016
【図１５】
2020116305.tif 000017
【図１６】
2020116305.tif 000018